(57)【要約】【課題】回転電機のより一層の小型化を図ることができるコイル構造を提供することを目的とする。【解決手段】各相のコイル２１は、複数の第１要素導体３１及び複数の第２要素導体３１と、第１要素導体３１及び第２要素導体３１の対を接続する第１渡り部４３と、第１要素導体３１の対及び第２要素導体３１の対を接続する第２渡り部４４とを備える。第１要素導体３１が挿入されるスロット１２と第２要素導体３１が挿入されるスロット１２とは、ステータ１１の周方向に第１の所定間隔のピッチ（６スロットピッチ）で並ぶと共に、第１の所定間隔よりも小さい第２の所定間隔（５スロットピッチ）だけ位相がずれている。【選択図】図５
2015023670.tif 000002
【特許請求の範囲】
【請求項１】
ステータの周方向に並ぶように該ステータに形成された複数のスロットのそれぞれに、前記ステータの径方向に複数層に並ぶように挿入される複数の要素導体を備えており、磁束生成用の各相のコイルが、所定数の要素導体を直列に接続することにより構成される回転電機におけるコイル構造であって、
各相のコイルは、
前記複数のスロットのうち、前記ステータの周方向に第１の所定間隔のピッチで並ぶ複数の第１スロットにそれぞれ挿入される複数の第１要素導体と、
前記第１の所定間隔のピッチで前記ステータの周方向に並ぶと共に前記第１スロットのそれぞれに対して前記ステータの周方向に第２の所定間隔だけ位相がずれている複数の第２スロットにそれぞれ挿入される複数の第２要素導体と、
前記第１スロット及び第２スロットのうち、前記ステータの周方向に第２の所定間隔を有する第１スロット及び第２スロットにそれぞれ挿入される１つの第１要素導体及び１つの第２要素導体の対のそれぞれを接続対象として、該接続対象の第１要素導体及び第２要素導体の対のそれぞれを前記ステータの軸方向の一端側である第１端側で接続する複数の第１渡り部と、
前記ステータの周方向に前記第１の所定間隔を有する２つの第１スロットにそれぞれに挿入される２つの第１要素導体の対のそれぞれと、前記ステータの周方向に前記第１の所定間隔を有する２つの第２スロットにそれぞれに挿入される２つの第２要素導体の対のそれぞれとを接続対象として、該接続対象の第１要素導体の対及び第２要素導体の対のそれぞれを前記ステータの軸方向の他端側である第２端側で接続する複数の第２渡り部とを備えており、
前記ステータの周方向で隣り合う２つのスロットの間の間隔を単位ピッチと定義し、前記回転電機の磁極の１極当たりの前記スロットの個数をＮ個と定義したとき、前記第１の所定間隔は、前記単位ピッチのＮ倍の間隔に設定されており、前記第２の所定間隔は、前記第１の所定間隔よりも小さい間隔に設定されていることを特徴とする回転電機のコイル構造。
【請求項２】
請求項１記載の回転電機のコイル構造において、
前記第２の所定間隔は、前記単位ピッチの（Ｎ−１）倍の間隔に設定されていることを特徴とする回転電機のコイル構造。
【請求項３】
請求項１又は２記載の回転電機のコイル構造において、
前記各第１渡り部と、該第１渡り部により接続される第１要素導体及び第２要素導体の対とは、前記第２の所定間隔を有する第１スロット及び第２スロットにそれぞれ挿入される２つの脚部を、当該第１要素導体及び第２要素導体をそれぞれ形成する部分として有すると共に該２つの脚部の一端部同士を連結する部分を当該第１渡り部を形成する部分として有するように作成された二股形状の導体である二股導体部材により一体に構成されており、
前記２つの第１要素導体の対を接続する各第２渡り部は、該２つの第１要素導体の一方を形成する脚部Ａ１ａと他方を形成する脚部Ａ１ｂとが前記２つの第１スロットにそれぞれ挿入された２つの二股導体部材の組において、該２つの第１スロットのそれぞれから前記ステータの第２端側に突出する当該脚部Ａ１ａ，Ａ１ｂのそれぞれの先端側部分を、該ステータの周方向で互いに接近する向きに折り曲げた状態で互いに接続してなる部材として構成され、
前記２つの第２要素導体の対を接続する各第２渡り部は、該２つの第２要素導体の一方を形成する脚部Ａ２ａと他方を形成する脚部Ａ２ｂとが前記２つの第２スロットにそれぞれ挿入された２つの二股導体部材の組において、該２つの第２スロットのそれぞれから前記ステータの第２端側に突出する当該脚部Ａ２ａ，Ａ２ｂのそれぞれの先端側部分を、該ステータの周方向で互いに接近する向きに折り曲げた状態で互いに接続してなる部材として構成され、
前記脚部Ａ１ａ，Ａ１ｂによりそれぞれ形成される前記２つの第１要素導体は、前記ステータの径方向で互いに隣り合う２つの層にそれぞれ配置される２つの要素導体であり、前記脚部Ａ２ａ，Ａ２ｂによりそれぞれ形成される前記２つの第２要素導体は、前記２つの第１要素導体が配置される２つの層とは異なり、且つ、前記ステータの径方向で互いに隣り合う２つの層にそれぞれ配置される２つの要素導体であることを特徴とする回転電機のコイル構造。
【請求項４】
請求項１〜３のいずれか１項に記載の回転電機のコイル構造において、
前記ステータの周方向で前記第２の所定間隔を有する第１スロット及び第２スロットの各組において、第１スロットに配置される第１要素導体と第２スロットに配置される第２要素導体との対は複数対であり、該複数対のそれぞれの第１要素導体及び第２要素導体を接続する前記第２渡り部が前記ステータの径方向に整列するように、該複数対のそれぞれの第１要素導体及び第２要素導体が第１スロット及び第２スロットにそれぞれ配置されることを特徴とする回転電機のコイル構造。
【請求項５】
請求項１〜４のいずれか１項に記載の回転電機のコイル構造において、
前記各相のコイルは並列接続される第１コイル及び第２コイルにより構成され、
前記第１コイル及び第２コイルのぞれぞれは、前記複数の第１要素導体、前記複数の第２要素導体、前記複数の第１渡り部及び前記複数の第２渡り部を備えており、
前記第２コイルの各第１要素導体は、前記第１コイルの各第１要素導体を挿入する第１スロットと前記ステータの周方向で隣り合うスロットに、当該第１コイルの第１要素導体と同じ層で挿入される要素導体であり、
前記第２コイルの各第２要素導体は、前記第１コイルの各第２要素導体を挿入する第２スロットと前記ステータの周方向で隣り合うスロットに、当該第１コイルの第２要素導体と同じ層で挿入される要素導体であることを特徴とする回転電機のコイル構造。
【発明の詳細な説明】
【技術分野】
【０００１】
本発明は、回転電機のステータに装着される磁束生成用のコイルの構造に関する。
【背景技術】
【０００２】
回転電機のステータに装着される磁束生成用のコイルの構造としては、従来、例えば特許文献１，２に見られるものが知られている。
【０００３】
これらの特許文献１，２に見られるコイルは、回転電機のステータに形成されるスロットにそれぞれ挿入される複数の要素導体を、ステータの軸方向の一端側と他端側とに備える渡り部によって直列に接続してなる構造のものである。
【先行技術文献】
【特許文献】
【０００４】
【特許文献１】特開２０１２−２９３７０号公報
【特許文献２】米国特許第７０３４４２８号明細書
【発明の概要】
【発明が解決しようとする課題】
【０００５】
特許文献１，２に見られる構造のコイルでは、ステータの軸方向の一端側と他端側との両方に、要素導体同士を接続する多数の渡り部が配置される。
【０００６】
この場合、ステータの軸方向の一端側と他端側とで相互に近接する渡り部同士が干渉しないようにするために、各渡り部は、ステータの軸方向の一端側又は他端側の端面から該軸方向にある程度の高さを有するものとなる。
【０００７】
一方、回転電機の小型化を図る上では、ステータの軸方向の一端側及び他端側における渡り部の高さは、できるだけ小さいことが望ましい。
【０００８】
ここで、ステータの軸方向における各渡り部の高さ（以降、軸方向高さということがある）は、一般に、各渡り部により接続する２つの要素導体の間の間隔（ステータの周方向での間隔）が長いほど、高くなる。
【０００９】
従って、回転電機の小型化を図る上では、ステータの軸方向の一端側の各渡り部により接続する２つの要素導体の間隔（ステータの周方向での間隔）を単位ピッチのＮ１倍の間隔、ステータの軸方向の他端側の各渡り部により接続する２つの要素導体の間隔（ステータの周方向での間隔）を単位ピッチのＮ２倍の間隔としたとき、Ｎ１＋Ｎ２ができるだけ小さいことが望ましい。
【００１０】
なお、上記単位ピッチは、ステータの周方向で隣り合うスロットの間の間隔（ステータの周方向での間隔）を意味する。
【００１１】
ここで、特許文献１には、回転電機の磁極の１極当たりのスロット数を６個とした場合に、Ｎ１＝７、Ｎ２＝５とした構造のコイルが記載されている。
【００１２】
また、特許文献２には、Ｎ１＝７、Ｎ２＝５とした構造のコイルが同文献２の図１９に記載されると共に、Ｎ１＝Ｎ２＝６としたものが同文献２の図２０に記載されている。
【００１３】
従って、特許文献１、２に見られるコイルは、Ｎ１＋Ｎ２が、回転電機の磁極の１極当たりのスロット数の２倍となるような構造のコイルである。
【００１４】
しかるに、これらの構造のコイルでは、回転電機のステータの軸方向の一端側の渡り部の軸方向高さと他端側の渡り部の軸方向高さとの総和をより一層短くして、回転電機をより一層小型化することが困難であった。
【００１５】
本発明はかかる背景に鑑みてなされたものであり、回転電機のより一層の小型化を図ることができるコイル構造を提供することを目的とする。
【課題を解決するための手段】
【００１６】
本発明の回転電機のコイル構造は、かかる目的を達成するために、ステータの周方向に並ぶように該ステータに形成された複数のスロットのそれぞれに、前記ステータの径方向に複数層に並ぶように挿入される複数の要素導体を備えており、磁束生成用の各相のコイルが、所定数の要素導体を直列に接続することにより構成される回転電機におけるコイル構造であって、
各相のコイルは、
前記複数のスロットのうち、前記ステータの周方向に第１の所定間隔のピッチで並ぶ複数の第１スロットにそれぞれ挿入される複数の第１要素導体と、
前記第１の所定間隔のピッチで前記ステータの周方向に並ぶと共に前記第１スロットのそれぞれに対して前記ステータの周方向に第２の所定間隔だけ位相がずれている複数の第２スロットにそれぞれ挿入される複数の第２要素導体と、
前記第１スロット及び第２スロットのうち、前記ステータの周方向に前記第２の所定間隔を有する第１スロット及び第２スロットにそれぞれ挿入される１つの第１要素導体及び１つの第２要素導体の対のそれぞれを接続対象として、該接続対象の第１要素導体及び第２要素導体の対のそれぞれを前記ステータの軸方向の一端側である第１端側で接続する複数の第１渡り部と、
前記ステータの周方向に前記第１の所定間隔を有する２つの第１スロットにそれぞれに挿入される２つの第１要素導体の対のそれぞれと、前記ステータの周方向に前記第１の所定間隔を有する２つの第２スロットにそれぞれに挿入される２つの第２要素導体の対のそれぞれとを接続対象として、該接続対象の第１要素導体の対及び第２要素導体の対のそれぞれを前記ステータの軸方向の他端側である第２端側で接続する複数の第２渡り部とを備えており、
前記ステータの周方向で隣り合う２つのスロットの間の間隔を単位ピッチと定義し、前記回転電機の磁極の１極当たりの前記スロットの個数をＮ個と定義したとき、前記第１の所定間隔は、前記単位ピッチのＮ倍の間隔に設定されており、前記第２の所定間隔は、前記第１の所定間隔よりも小さい間隔に設定されていることを特徴とする（第１発明）。
【００１７】
なお、以降の本発明の説明では、前記単位ピッチのｋ倍（ｋ：１以上の整数）の間隔をｋスロットピッチということがある。
【００１８】
かかる第１発明によれば、前記ステータの軸方向の第１端側では、前記ステータの周方向に前記第２の所定間隔（これは、前記第１スロットに対する前記第２スロットの位相（ステータの周方向の位相）ずれに相当する）を有する第１スロット及び第２スロットにそれぞれ挿入される第１要素導体と第２要素導体との対のそれぞれが第１渡り部により接続される。
【００１９】
また、前記ステータの軸方向の他端側では、前記ステータの周方向に前記第２の所定間隔を有する２つの第１スロットに挿入される２つの第１要素導体の対のそれぞれと、前記ステータの周方向に前記第２の所定間隔を有する２つの第２スロットに挿入される２つの要素導体の対のそれぞれとが第２渡り部により接続される。
【００２０】
この接続構成によれば、各第２渡り部の接続対象となる２つの要素導体（２つの第１要素導体又は２つの第２要素導体）がそれぞれ挿入される２つのスロットの間の間隔（ステータの周方向での間隔）である前記第１の所定間隔をＮスロットピッチ（Ｎ：１極当たりのスロットの個数）の間隔とし、且つ、各第１渡り部の接続対象となる２つの要素導体（第１要素導体及び第２要素導体）がそれぞれ挿入される２つのスロットの間の間隔（ステータの周方向での間隔）である前記第２の所定間隔を、Ｎスロットピッチ（＝前記第１の所定間隔）よりも小さい間隔に設定することができる。
【００２１】
すなわち、第１の所定間隔と第２の所定間隔との和を、Ｎスロットピッチの２倍の間隔よりも小さくできる。
【００２２】
このため、第１発明によれば、第１渡り部の高さ（ステータの軸方向の第１端側の端面からの高さ）と、第２渡り部の高さ（ステータの軸方向の第２端側の端面からの高さ）との総和を前記した従来のものよりも小さくすることが可能となる。ひいては、回転電機の軸方向の長さをより一層短くして、該回転電機のより一層小型化することを実現できる。
【００２３】
また、ステータに装着するコイルの相数が２相以上である場合、１つのスロットに異なる相のコイルを構成する要素導体を配置することが可能となる。ひいては、各相のコイルに順番に通電したときに生成される磁束の分布（ステータの周方向での磁束の分布）の時間的な変化が滑らかに行われるようにすることが可能となる。
【００２４】
このため、回転電機のロータに発生するトルクの変動（リプル）を抑制することができると共に、該変動に起因する騒音を低減できる。
【００２５】
上記第１発明では、前記第２の所定間隔は、前記単位ピッチの（Ｎ−１）倍の間隔に設定されていることが好ましい（第２発明）。
【００２６】
この第２発明によれば、１つの相のコイルに通電したときに生成される磁束を、ステータの周方向で滑らかに分布させるようにする（ステータの周方向での磁束の分布が分散的な分布になるのを抑制する）ことができる。ひいては、回転電機のロータに発生するトルクの変動（リプル）を抑制することができると共に、該変動に起因する騒音を低減できる。
【００２７】
また、上記第１発明又は第２発明では、前記各第１渡り部と、該第１渡り部により接続される第１要素導体及び第２要素導体の対とは、前記第２の所定間隔を有する第１スロット及び第２スロットにそれぞれ挿入される２つの脚部を、当該第１要素導体及び第２要素導体をそれぞれ形成する部分として有すると共に該２つの脚部の一端部同士を連結する部分を当該第１渡り部を形成する部分として有するように作成された二股形状の導体である二股導体部材により一体に構成されており、
前記２つの第１要素導体の対を接続する各第２渡り部は、該２つの第１要素導体の一方を形成する脚部Ａ１ａと他方を形成する脚部Ａ１ｂとが前記２つの第１スロットにそれぞれ挿入された２つの二股導体部材の組において、該２つの第１スロットのそれぞれから前記ステータの第２端側に突出する当該脚部Ａ１ａ，Ａ１ｂのそれぞれの先端側部分を、該ステータの周方向で互いに接近する向きに折り曲げた状態で互いに接続してなる部材として構成され、
前記２つの第２要素導体の対を接続する各第２渡り部は、該２つの第２要素導体の一方を形成する脚部Ａ２ａと他方を形成する脚部Ａ２ｂとが前記２つの第２スロットにそれぞれ挿入された２つの二股導体部材の組において、該２つの第２スロットのそれぞれから前記ステータの第２端側に突出する当該脚部Ａ２ａ，Ａ２ｂのそれぞれの先端側部分を、該ステータの周方向で互いに接近する向きに折り曲げた状態で互いに接続してなる部材として構成される形態を採用できる。
【００２８】
そして、この場合、前記脚部Ａ１ａ，Ａ１ｂによりそれぞれ形成される前記２つの第１要素導体は、前記ステータの径方向で互いに隣り合う２つの層にそれぞれ配置される２つの要素導体であり、前記脚部Ａ２ａ，Ａ２ｂによりそれぞれ形成される前記２つの第２要素導体は、前記２つの第１要素導体が配置される２つの層とは異なり、且つ、前記ステータの径方向で互いに隣り合う２つの層にそれぞれ配置される２つの要素導体であることが好ましい（第３発明）。
【００２９】
この第３発明によれば、接続対象の第１要素導体及び第２要素導体の対と、これらを接続する第１渡り部とが前記二股導体部材により一体に構成されるので、前記ステータの軸方向の第１端側での第１要素導体及び第２要素導体の対の接続作業が不要となる。
【００３０】
また、第２渡り部による接続対象である第１要素導体の対、あるいは、第２要素導体の対は、径方向で隣り合う２つの層にそれぞれ配置される要素導体の対であるので、当該要素導体の対を形成する前記脚部Ａ１ａ，Ａ１ｂ、又はＡ２ａ，Ａ２ｂの先端側部分を、周方向で互いに接近る向きに折り曲げるだけで、該脚部の先端部同士をステータの軸方向の第２端側で近接させることができる。
【００３１】
そのため、該脚部の先端部同士の溶接等によって接続するだけで、ステータの軸方向の第２端側で、接続対象の第１要素導体の対、及び第２要素導体の対のそれぞれを第２渡り部により接続すること容易に実現できる。
【００３２】
前記第１〜第３発明では、前記ステータの周方向で前記第２の所定間隔を有する第１スロット及び第２スロットの各組において、第１スロットに配置される第１要素導体と第２スロットに配置される第２要素導体との対は複数対であり、該複数対のそれぞれの第１要素導体及び第２要素導体を接続する前記第２渡り部が前記ステータの径方向に整列するように、該複数対のそれぞれの第１要素導体及び第２要素導体が第１スロット及び第２スロットにそれぞれ配置されることが好ましい（第４発明）。
【００３３】
この第４発明によれば、前記複数対のそれぞれの第１要素導体及び第２要素導体を接続する第２渡り部が前記ステータの径方向に整列することで、前記複数対のそれぞれに対応する複数の第２渡り部を、複数の導線の束等から一括して成形することが可能となる。
【００３４】
特に、第４発明を前記第３発明に適用した場合には、前記複数対のそれぞれに対応する複数の二股導体部材（第２渡り部を含む）がステータの径方向に整列することとなるので、該複数の二股導体部材を、複数の導線の束等から一括して成形することが可能となる。
【００３５】
ひいては、各相のコイルの製造工数を低減できる。
【００３６】
また、前記第１〜第４発明では、前記各相のコイルは並列接続される第１コイル及び第２コイルにより構成されていてもよい。この場合、前記第１コイル及び第２コイルのぞれぞれは、前記複数の第１要素導体、前記複数の第２要素導体、前記複数の第１渡り部及び前記複数の第２渡り部を備えており、前記第２コイルの各第１要素導体は、前記第１コイルの各第１要素導体を挿入する第１スロットと前記ステータの周方向で隣り合うスロットに、当該第１コイルの第１要素導体と同じ層で挿入される要素導体であり、前記第２コイルの各第２要素導体は、前記第１コイルの各第２要素導体を挿入する第２スロットと前記ステータの周方向で隣り合うスロットに、当該第１コイルの第２要素導体と同じ層で挿入される要素導体であることが好ましい（第５発明）。
【００３７】
この第５発明によれば、第１コイルと第２コイルとで、第１要素導体が配置されるスロットが隣り合っていると共に、該第１要素導体が配置される層（ステータの径方向での層）が互いに同じ層である。同様に、第１コイルと第２コイルとで、第２要素導体が配置されるスロットが隣り合っていると共に、該第２要素導体が配置される層が互いに同じ層である。
【００３８】
このため、第１コイルと第２コイルとで、それぞれを構成する要素導体の配置及び接続の形態を揃えることができる。ひいては、第１コイル及び第２コイルの製造が容易になると共に、第１コイル及び第２コイルの特性を揃えることができる。
【００３９】
また、各相のコイルを第１コイル及び第２コイルの一方だけで構成した場合よりも、第１コイルと第２コイルとに流す電流量を低減できる。そのため、第１コイル及び第２コイルをそれぞれを構成する要素導体、第１渡り部及び第２渡り部の太さを低減できる。
【図面の簡単な説明】
【００４０】
【図１】本発明の一実施形態の回転電機のステータのスロットルの配置を示す図。
【図２】実施形態の回転電機のコイルの全体の回路構成を示す回路図。
【図３】実施形態における各相のコイルを構成する要素導体の配置を示す図。
【図４】実施形態における各相のコイルを構成する要素導体の配置を示す図。
【図５】（ａ），（ｂ）は実施形態における各相のコイルを構成する一部の要素導体の配置と接続の形態を例示する図。
【図６】（ａ），（ｂ）は実施形態における各相のコイルを構成する一部の要素導体の配置と接続の形態を例示する図。
【図７】（ａ），（ｂ）は実施形態における各相のコイルを構成する一部の要素導体の配置と接続の形態を例示する図。
【図８】実施形態における各相のコイルを構成する一部の要素導体の配置と接続の形態を例示する図。
【図９】（ａ）は実施形態における第１要素導体及び第２要素導体の対を形成するセグメント導体を示す斜視図、（ｂ）は該セグメント導体の脚部の先端側部分を折り曲げた状態を示す斜視図。
【図１０】実施形態の回転電機のステータの一端側に配置されるブリッジ導体及び中性点形成導体をステータの軸心方向で見た図。
【図１１】実施形態の回転電機のステータの一端側の構造を、コイルを装着した状態で示す斜視図。
【発明を実施するための形態】
【００４１】
本発明の一実施形態を図１〜図１１を参照して説明する。
【００４２】
本実施形態の回転電機は、ロータ１の周囲に配置される大略筒状のステータ１１と、ステータ１１に装着される磁束生成用のコイル２１とを備える。
【００４３】
ステータ１１には、図１に示すように、複数のスロット１２が、ステータ１１の周方向（ステータ１１の軸心周り方向）に一定間隔のピッチで並ぶように形成されている。各スロット１２は、ステータ１１をその軸方向に貫通するように設けられている。
【００４４】
コイル２１は、図２に示すように、Ｕ相コイル２１Ｕ、Ｖ相コイル２１Ｖ、及びＷ相コイル２１Ｗの３相のコイルにより構成される。本実施形態では、各相のコイル２１Ｕ，２１Ｖ，２１Ｗは、それぞれ２つのコイル（２１Ｕ１，２１Ｕ２），（２１Ｖ１，２１Ｖ２），（２１Ｗ１，２１Ｗ２）を並列に接続して構成される。そして、Ｕ相、Ｖ相、Ｗ相のコイル２１Ｕ，２１Ｖ，２１Ｗのそれぞれの一端が中性点２２にて相互に接続される。
【００４５】
また、コイル２１Ｕ，２１Ｖ，２１Ｗのそれぞれの他端は、コイル２１Ｕ，２１Ｖ，２１Ｗに流す電流の入出部となる電流入出端子２３Ｕ，２３Ｖ，２３Ｗにそれぞれ接続される。
【００４６】
以降の説明では、各相のコイル２１Ｕ，２１Ｖ，２１Ｗを区別する必要が無いときは、任意の１つの相のコイルをコイル２１Ｘと表記する。この場合、「Ｘ」は、Ｕ、Ｖ、Ｗのいずれか１つを意味する。また、１つの相のコイル２１Ｘを構成する２つのコイルを第１コイル２１Ｘ１、第２コイル２１Ｘ２と表記し、該コイル２１Ｘの電流入出端子を電流入出端子２３Ｘと表記する。
【００４７】
各相の第１コイル２１Ｘ１及び第２コイル２１Ｘ２のそれぞれは、その構成要素として、図３及び図４に示すようにスロット１２にそれぞれ挿入される所定数の線状の要素導体３１を備えている。各要素導体３１は、ステータ１１の軸方向に延在して、スロット１２を貫通するように該スロット１２に挿入される。
【００４８】
そして、各相の第１コイル２１Ｘ１及び第２コイル２１Ｘ２のそれぞれは、上記所定数の要素導体３１を、順番に導通させていくように（換言すれば、連続した電流路を形成するように）、直列に接続することにより構成される。
【００４９】
図３及び図４では、ステータ１１の軸方向を紙面に垂直な方向、ステータ１１の周方向を横方向、ステータ１１の径方向を縦方向とし、各要素導体３１を、ステータ１１の軸方向で見た形態で記載している。この場合、第１コイル２１Ｘ１の要素導体３１を白色で示し、第２コイル２１Ｘ２の要素導体３１をグレー色で示している。
【００５０】
また、図３及び図４において、第１コイル２１Ｘ１及び第２コイル２１Ｘ２のそれぞれの各要素導体３１に付記した符号（１７ｕ，８０ｗ等）における数字は、電流入出端子２３Ｘ側から中性点２２側への要素導体３１の接続順番（導通順番）を表し、該符号中のｕ，ｖ，ｗは、当該要素導体３１がＵ相、Ｖ相、Ｗ相のいずれの相に属するものであるかを表している。
【００５１】
なお、図３及び図４に示す要素導体３１の配置及び接続順番は、ステータ１１の軸方向の一端側（後述の第１端側）から見た場合の配置及び接続順番を示している。
【００５２】
ここで、本実施形態では、回転電機の磁極の極対数（Ｎ極及びＳ極の対の個数）は、一例として、例えば６極対（全１２極）とされている。そして、前記したように、コイル２１の相数は３相であり、各相のコイル２１Ｘは、並列接続される第１コイル２１Ｘ１及び第２コイル２１Ｘ２の２つのコイルにより構成される。
【００５３】
このため、本実施形態では、図３及び図４に示すように、１極当たりのスロット数ＮがＮ＝３×２＝６個とされている。そして、総計７２（＝６×１２）個のスロット１２がステータ１１に形成されている。また、各スロット１２には、８個の要素導体３１が、ステータ１１の径方向に一列に整列する（８層に整列する）ようにして挿入される。
【００５４】
また、各相の第１コイル２１Ｘ１及び第２コイル２１Ｘ２は、本実施形態では、それぞれ９６個の要素導体３１（１番目〜９６番目の要素導体３１）を有する。そして、各相の第１コイル２１Ｘ１及び第２コイル２１Ｘ２のそれぞれは、スロット１２にそれぞれ挿入した９６個の要素導体３１を、図３及び図４に示した番号順に導通させるように、直列に接続することで構成される。
【００５５】
以下に、各相の第１コイル２１Ｘ１及び第２コイル２１Ｘ２のより具体的な構造を詳説する。
【００５６】
まず、各相の第１コイル２１Ｘ１について図３〜図８を参照して説明する。なお、以降の説明では、各スロット１２に挿入される８個の要素導体３１のそれぞれの、ステータ１１の径方向での配置位置を、ステータ１１の径方向の内側（内周側）から外側（外周側）に向かって、第１層、第２層、……、第８層という。
【００５７】
また、ステータ１１の周方向における時計周り方向及び反時計周り方向の２方向のうちの所定の一方向を周方向正側、該一方向と逆方向を周方向負側という。本実施形態の説明では、便宜上、周方向正側は図３〜図８における右向きの方向、周方向負側は図３〜図８における左向きの方向と定義する。
【００５８】
本実施形態では、各相の第１コイル２１Ｘ１は、１番目〜２４番目の要素導体３１を直列に接続してなる部分コイル（以降、１−２４部分コイルという）と、２５番目〜４８番目の要素導体３１を直列に接続してなる部分コイル（以降、２５−４８部分コイルという）と、４９番目〜７２番目の要素導体３１を直列に接続してなる部分コイル（以降、４９−７２部分コイルという）と、７３番目〜９６番目の要素導体３１を直列に接続してなる部分コイル（以降、７３−９６部分コイルという）とを直列に接続したものとして構成される。
【００５９】
そして、第１コイル２１Ｘ１の要素導体３１の配置及び接続の形態は、１−２４部分コイルにおける形態、２５−４８部分コイルにおける形態、４９−７２部分コイルにおける形態、及び７３−９８部分コイルにおける形態とに大別される。
【００６０】
さらに、第１コイル２１Ｘ１の上記各部分コイルを構成する要素導体３１（２４個の要素導体３１）は、ステータ１１の周方向に第１の所定間隔のピッチで並ぶ複数のスロット１２にそれぞれ挿入される複数の要素導体により構成される第１要素導体群と、第１要素導体群の要素導体３１が挿入されるスロット１２に対してステータ１１の周方向に位相がずれた状態で該周方向に前記第１の所定間隔のピッチで並ぶ複数のスロット１２にそれぞれ挿入される複数の要素導体３１により構成される第２要素導体群とに分類される。
【００６１】
上記第１要素導体群の各要素導体３１は本発明における第１要素導体に相当し、第２要素導体群の各要素導体３１は本発明における第２要素導体に相当するものである。また、各第１要素導体３１が挿入されるスロット１２と、各第２要素導体３１が挿入されるスロット１２とが、それぞれ、本発明における第１スロット、第２スロットに相当するものである。
【００６２】
この場合、第１コイル２１Ｘ１の１−２４部分コイル、２５−４８部分コイル、４９−７２部分コイル、及び７３−９６部分コイルのそれぞれにおいて、第２要素導体群の要素導体３１（以降、第２要素導体３１ということがある）が挿入されるスロット１２は、第１要素導体群の要素導体３１（以降、第１要素導体３１ということがある）が挿入されるスロット１２に対して、第１の所定間隔よりも小さい第２の所定間隔だけステータ１１の周方向正側に位相がずれたスロットである。
【００６３】
そして、本実施形態では、上記各第１要素導体３１は、ステータ１１の径方向外側寄りの層（第５層〜第８層のいずれかの層）に配置される。また、上記各第２要素導体３１は、ステータ１１の径方向内側寄りの層（第１層〜第４層のいずれかの層）に配置される。
【００６４】
ここで、本明細書において、上記第１の所定間隔、第２の所定間隔等、ステータ１１の周方向における任意の２つのスロット１２，１２の間の「間隔」は、ステータ１１の軸心周りにおけるスロット１２，１２の角度位置（位相）の差に相当するものである。
【００６５】
そして、上記第１の所定間隔は、回転電機の１極当たりのスロット数（本実施形態では６個）を、スロット１２の単位ピッチ（ステータ１１の周方向に隣り合う２つのスロット１２，１２の間の間隔）に乗じてなる間隔（＝６×単位ピッチ）とされている。
【００６６】
以降、スロット１２の単位ピッチのｋ倍の間隔をｋスロットピッチという。本実施形態では、上記第１の所定間隔は６スロットピッチである。
【００６７】
また、上記第２の所定間隔は、第１の所定間隔よりも小さい間隔とされている。該第２の所定間隔は、本実施形態では、スロット１２の単位ピッチの５倍の間隔、すなわち、５スロットピッチとされている。
【００６８】
各相の第１コイル２１Ｘ１の１−２４部分コイル、２５−４８部分コイル、４９−７２部分コイル、及び７３−９６部分コイルのそれぞれの要素導体３１の配置及び接続の形態をさらに具体的に説明する。
【００６９】
まず、第１コイル２１Ｘ１の１−２４部分コイルを構成する１番目〜２４番目の要素導体３１は、図３及び図４、あるいは図５（ａ）に示すように、４ｎ＋１番目（ｎ＝０，１，…，５）の要素導体３１が１つのスロット１２の第８層に位置し、その次の４ｎ＋２番目の要素導体３１が、４ｎ＋１番目の要素導体３１が配置されたスロット１２から周方向正側に前記第２の所定間隔（５スロットピッチの間隔）を有するスロット１２の第４層（４ｎ＋１番目の要素導体３１よりも４層分、径方向内側の層）に位置し、その次の４ｎ＋３番目の要素導体３１が、４ｎ＋２番目の要素導体３１が配置されたスロット１２から周方向正側に前記第１の所定間隔（６スロットピッチの間隔）を有するスロット１２の第３層（４ｎ＋２番目の要素導体３１よりも１層分、径方向内側の層）に位置し、その次の４ｎ＋４番目の要素導体３１が、４ｎ＋３番目の要素導体３１が配置されたスロット１２から周方向負側に前記第２の所定間隔（５スロットピッチの間隔）を有するスロット１２の第７層（４ｎ＋３番目の要素導体３１よりも４層分、径方向外側の層）に位置するように配置される。
【００７０】
なお、図５（ａ）では、１番目〜５番目の要素導体３１が、それぞれ、４ｎ＋１番目、４ｎ＋２番目、４ｎ＋３番目、４ｎ＋４番目、４（ｎ＋１）＋１番目（ただし、ｎ＝０）の要素導体３１の一例として示されている。
【００７１】
この場合、４ｎ＋１番目〜４ｎ＋４番目の要素導体３１の上記の配置によって、４ｎ＋４番目の要素導体３１が配置されるスロット１２は、４ｎ＋２番目の要素導体３１が配置されるスロット１２に対して周方向正側に１スロットピッチの間隔（第１の所定間隔と第２の所定間隔との差分の間隔）を有し、且つ、４ｎ＋１番目の要素導体３１が配置されるスロット１２に対して周方向正側に第１の所定間隔（６スロットピッチの間隔）を有することとなる。
【００７２】
ここで、４ｎ＋１番目及び４ｎ＋４番目の要素導体３１が第１要素導体群の要素導体（第１要素導体）であり、４ｎ＋２番目及び４ｎ＋３番目の要素導体３１が第２要素導体群の要素導体（第２要素導体）である。従って、１−２４部分コイルにおいては、第１要素導体３１のそれぞれは、第７層又は第８層に配置され、第２要素導体３１のそれぞれは、第３層又は第４層に配置される。
【００７３】
そして、１番目〜２４番目の要素導体３１において、ステータ１１の周方向に第２の所定間隔（５スロットピッチの間隔）を有し、且つ、ステータ１１の径方向に所定間隔（４層分の間隔）を有する要素導体３１，３１の対（具体的には、４ｎ＋１番目及び４ｎ＋２番目の要素導体３１，３１の対、並びに、４ｎ＋３番目及び４ｎ＋４番目の要素導体３１，３１対）が、接続対象の第１要素導体３１及び第２要素導体３１の対として、ステータ１１の軸方向の一端側（以降、軸方向第１端側という）で、第１渡り部４３（詳細は後述する）を介して接続される（図５（ａ）を参照）。
【００７４】
また、ステータ１１の周方向に第１の所定間隔（６スロットピッチの間隔）を有し、且つ、ステータ１１の径方向で隣り合う層の要素導体３１，３１の対（具体的には、４ｎ＋２番目及び４ｎ＋３番目の要素導体３１，３１の対、並びに、４ｎ’＋４番目及び４(ｎ’＋１)＋１番目（ただし、ｎ’＝０，１，…，４）の要素導体３１，３１の対）が、接続対象の２つの第１要素導体３１，３１の対、又は２つの第２要素導体３１，３１の対として、ステータ１１の軸方向の他端側（以降、軸方向第２端側という）で、第２渡り部４４（詳細は後述する）を介して接続される（図５（ａ）を参照）。
【００７５】
なお、図５（ａ）では、図示の便宜上、第１渡り部４３を実線で示し、第２渡り部４４を破線で示している。
【００７６】
これにより、１−２４部分コイルを構成する要素導体３１が、図５（ｂ）に例示するようなパターンで順次導通するように、直列に接続される。これにより、１−２４部分コイルが構成される。この場合、１番目〜４番目の要素導体３１，３１，３１，３１を上記の如く直列に接続してなる組を１単位の要素導体群とみなした場合、１−２４部分コイルは、６個の当該要素導体群を、ステータ１１の周方向正側に向かって１２スロットピッチの間隔（２×第１の所定間隔）で連接したものとして構成される。
【００７７】
次に、第１コイル２１Ｘ１の２５−４８部分コイルを構成する２５番目〜４８番目の要素導体３１は、図３及び図４、あるいは図５（ａ）に示すように、４ｎ＋２５番目（ｎ＝０，１，…，５）の要素導体３１が１つのスロット１２の第６層に位置し、その次の４ｎ＋２６番目の要素導体３１が、４ｎ＋２５番目の要素導体３１が配置されたスロット１２から周方向正側に前記第２の所定間隔（５スロットピッチの間隔）を有するスロット１２の第２層（４ｎ＋２５番目の要素導体３１よりも４層分、径方向内側の層）に位置し、その次の４ｎ＋２７番目の要素導体３１が、４ｎ＋２６番目の要素導体３１が配置されたスロット１２から周方向正側に前記第１の所定間隔（６スロットピッチの間隔）を有するスロット１２の第１層（４ｎ＋２６番目の要素導体３１よりも１層分、径方向内側の層）に位置し、その次の４ｎ＋２８番目の要素導体３１が、４ｎ＋２７番目の要素導体３１が配置されたスロット１２から周方向負側に前記第２の所定間隔（５スロットピッチの間隔）を有するスロット１２の第５層（４ｎ＋２７番目の要素導体３１よりも４層分、径方向外側の層）に位置するように配置されている。
【００７８】
なお、図５（ａ）では、２５番目〜２９番目の要素導体３１が、それぞれ、４ｎ＋２５番目、４ｎ＋２６番目、４ｎ＋２７番目、４ｎ＋２８番目、４（ｎ＋１）＋２９番目（ただし、ｎ＝０）の要素導体３１の一例として示されている。
【００７９】
この場合、４ｎ＋２５番目〜４ｎ＋２８番目の要素導体３１がそれぞれ配置されるスロット１２は、それぞれ、４ｎ＋１番目、４ｎ＋２番目、４ｎ＋３番目、４ｎ＋４番目の要素導体３１が配置されるスロット１２と同じである。
【００８０】
また、４ｎ＋２５番目及び４ｎ＋２８番目の要素導体３１が第１要素導体群の要素導体（第１要素導体）であり、４ｎ＋２６番目及び４ｎ＋２７番目の要素導体３１が第２要素導体群の要素導体（第２要素導体）である。従って、２５−４８部分コイルにおいては、第１要素導体３１のそれぞれは、第５層又は第６層に配置され、第２要素導体３１のそれぞれは、第１層又は第２層に配置される。
【００８１】
このため、２５−４８部分コイルにおける要素導体３１の配置は、１−２４部分コイルの要素導体３１の全体を、ステータ１１の径方向内側に２層分だけずらした配置となっている。
【００８２】
そして、１−２４部分コイルの場合と同様に、２５番目〜４８番目の要素導体３１において、ステータ１１の周方向に第２の所定間隔（５スロットピッチの間隔）を有し、且つ、ステータ１１の径方向に所定間隔（４層分の間隔）を有する要素導体３１，３１の対（具体的には、４ｎ＋２５番目及び４ｎ＋２６番目の要素導体３１，３１の対、並びに、４ｎ＋２７番目及び４ｎ＋２８番目の要素導体３１，３１の対）が、接続対象の第１要素導体３１と第２要素導体３１との対として、ステータ１１の軸方向第１端側で第１渡り部４３を介して接続される（図５（ａ）を参照）。
【００８３】
また、ステータ１１の周方向に第１の所定間隔（６スロットピッチの間隔）を有し、且つ、ステータ１１の径方向で隣り合う層の要素導体３１，３１の対（具体的には、４ｎ＋２６番目及び４ｎ＋２７番目の要素導体３１，３１の対、並びに、４ｎ’＋２８番目及び４ｎ’＋２９番目（ただし、ｎ’＝０，１，…，４）の要素導体３１，３１の対）が、接続対象の２つの第１要素導体３１，３１の対、又は、２つの第２要素導体３１，３１の対として、ステータ１１の軸方向第２端側で第２渡り部４４を介して接続される（図５（ｂ）を参照）。
【００８４】
これにより、２５−４８部分コイルを構成する要素導体３１が、図５（ｂ）に例示するように、１−２４部分コイルの場合と同じパターンで順次導通するように、直列に接続される。これにより、２５−４８部分コイルが構成される。
【００８５】
この場合、２５番目〜２８番目の要素導体３１，３１，３１，３１を上記の如く直列に接続してなる組を１単位の要素導体群とみなした場合、２５−４８部分コイルは、６個の当該要素導体群を、ステータ１１の周方向正側に向かって１２スロットピッチの間隔（２×第１の所定間隔）で連接したものとして構成される。
【００８６】
なお、図７（ａ）に示すように、１−２４部分コイルの２４番目の要素導体３１と、２５−４８部分コイルの２５番目の要素導体３１とは、ステータ１１の周方向に第１の所定間隔（６スロットピッチの間隔）を有するスロット１２，１２に配置されると共に、それぞれ、ステータ１１の径方向で隣り合う層（第７層、第６層）に位置する。そして、これらの要素導体３１，３１は、ステータ１１の軸方向第２端側において第２渡り部４４を介して接続される。これにより、２５−４８部分コイルが、１−２４部分コイルに直列に接続される。
【００８７】
次に、第１コイル２１Ｘ１の４９−７２部分コイルを構成する４９番目〜７２番目の要素導体３１は、図３及び図４、あるいは図６（ａ）に示すように、４ｎ＋４９番目（ｎ＝０，１，…，５）の要素導体３１が１つのスロット１２の第５層に位置し、その次の４ｎ＋５０番目の要素導体３１が、４ｎ＋４９番目の要素導体３１が配置されたスロット１２から周方向正側に前記第２の所定間隔（５スロットピッチの間隔）を有するスロット１２の第１層（４ｎ＋４９番目の要素導体３１よりも４層分、径方向内側の層）に位置し、その次の４ｎ＋５１番目の要素導体３１が、４ｎ＋５０番目の要素導体３１が配置されたスロット１２から周方向負側に前記第１の所定間隔（６スロットピッチの間隔）を有するスロット１２の第２層（４ｎ＋５０番目の要素導体３１よりも１層分、径方向外側の層）に位置し、その次の４ｎ＋５２番目の要素導体３１が、４ｎ＋５１番目の要素導体３１が配置されたスロット１２から周方向負側に前記第２の所定間隔（５スロットピッチの間隔）を有するスロット１２の第６層（４ｎ＋５１番目の要素導体３１よりも４層分、径方向外側の層）に位置するように配置される。
【００８８】
なお、図６（ａ）では、４９番目〜５２番目の要素導体３１が、それぞれ、４ｎ＋４９番目、４ｎ＋５０番目、４ｎ＋５１番目、４ｎ＋５２番目の要素導体３１（ただし、ｎ＝０）の一例として示されている。
【００８９】
この場合、４ｎ＋４９番目〜４ｎ＋５２番目の要素導体３１の上記の配置によって、４ｎ＋５１番目の要素導体３１が配置されるスロット１２は、４ｎ＋４９番目の要素導体３１が配置されるスロット１２に対して周方向負側に１スロットピッチの間隔（第１の所定間隔と第２の所定間隔との差分の間隔）を有することとなる。さらに、４ｎ＋５２番目の要素導体３１が配置されるスロット１２は、４ｎ＋４９番目の要素導体３１が配置されるスロット１２に対して周方向負側に第１の所定間隔（６スロットピッチの間隔）を有することとなる。
【００９０】
なお、第１コイル２１Ｘ１の４９番目の要素導体３１は、図８を参照して判るように、白色で示す４８番目の要素導体３１と同じ層（第５層）で、この４８番目の要素導体３１から周方向負側に５スロットピッチの間隔（第２の所定間隔）を有するスロット１２に配置される。
【００９１】
ここで、４ｎ＋４９番目及び４ｎ＋５２番目の要素導体３１が第１要素導体群の要素導体（第１要素導体）であり、４ｎ＋５０番目及び４ｎ＋５１番目の要素導体３１が第２要素導体群の要素導体（第２要素導体）である。従って、４９−５２部分コイルにおいては、第１要素導体３１のそれぞれは、第５層又は第６層に配置され、第２要素導体３１のそれぞれは、第１層又は第２層に配置される。
【００９２】
そして、４９番目〜７２番目の要素導体３１において、ステータ１１の周方向に第２の所定間隔（５スロットピッチの間隔）を有し、且つ、ステータ１１の径方向に所定間隔（４層分の間隔）を有する要素導体３１，３１の対（具体的には、４ｎ＋４９番目及び４ｎ＋５０番目の要素導体３１，３１、並びに、４ｎ＋５１番目及び４ｎ＋５２番目の要素導体３１，３１の対）が、接続対象の第１要素導体３１及び第２要素導体３１の対として、ステータ１１の軸方向第１端側で、第１渡り部４３を介して接続される（図６（ａ）を参照）。
【００９３】
また、ステータ１１の周方向に第１の所定間隔（６スロットピッチの間隔）を有し、且つ、ステータ１１の径方向で隣り合う層の要素導体３１，３１の対（具体的には、４ｎ＋５０番目及び４ｎ＋５１番目の要素導体３１，３１の対、並びに、４ｎ’＋５２番目及び４ｎ’＋５３番目（ただし、ｎ’＝０，１，…，４）の要素導体３１，３１の対）が、接続対象の２つの第１要素導体３１，３１の対、又は、２つの第２要素導体３１，３１の対として、ステータ１１の軸方向第２端側で、第２渡り部４４を介して接続される（図６（ａ）を参照）。
【００９４】
なお、図６（ａ）では、図５（ａ）と同様に、第１渡り部４３を実線で示し、第２渡り部４４を破線で示している。
【００９５】
これにより、４９−７２部分コイルを構成する要素導体３１が、図６（ｂ）に例示するようなパターンで順次導通するように、直列に接続される。これにより、４９−７２部分コイルが構成される。この場合、４９番目〜５３番目の要素導体３１，３１，３１，３１を上記の如く直列に接続してなる組を１単位の要素導体群とみなした場合、４９−７２部分コイルは、６個の当該要素導体群を、ステータ１１の周方向負側（１−４８部分コイルの場合と逆向き）に向かって１２スロットピッチの間隔（２×第１の所定間隔）で連接したものとして構成される。
【００９６】
なお、詳細は後述するが、第１コイル２１Ｘ１の４８番目の要素導体３１と４９番目の要素導体３１とは、各相毎に、ステータ１１の軸方向第２端側で、図８に示す如く、ブリッジ導体５１Ｘ（５１Ｕ又は５１Ｖ又は５１Ｗ）を介して接続される。これにより、４９−７２部分コイルが、２５−４８部分コイルに直列に接続される。
【００９７】
次に、第１コイル２１Ｘ１の７３−９６部分コイルを構成する７３番目〜９６番目の要素導体３１は、図３及び図４、あるいは図６（ａ）に示すように、４ｎ＋７３番目（ｎ＝０，１，…，５）の要素導体３１が１つのスロット１２の第７層に位置し、その次の４ｎ＋７４番目の要素導体３１が、４ｎ＋７３番目の要素導体３１が配置されたスロット１２から周方向正側に前記第２の所定間隔（５スロットピッチの間隔）を有するスロット１２の第３層（４ｎ＋７３番目の要素導体３１よりも４層分、径方向内側の層）に位置し、その次の４ｎ＋７５番目の要素導体３１が、４ｎ＋７４番目の要素導体３１が配置されたスロット１２から周方向負側に前記第１の所定間隔（６スロットピッチの間隔）を有するスロット１２の第４層（４ｎ＋７４番目の要素導体３１よりも１層分、径方向外側の層）に位置し、その次の４ｎ＋７６番目の要素導体３１が、４ｎ＋７５番目の要素導体３１が配置されたスロット１２から周方向負側に前記第２の所定間隔（５スロットピッチの間隔）を有するスロット１２の第８層（４ｎ＋７５番目の要素導体３１よりも４層分、径方向外側の層）に位置するように配置される。
【００９８】
なお、図６（ａ）では、７３番目〜７６番目の要素導体３１が、それぞれ、４ｎ＋７３番目、４ｎ＋７４番目、４ｎ＋７５番目、４ｎ＋７６番目（ただし、ｎ＝０）の要素導体３１の一例として示されている。
【００９９】
この場合、４ｎ＋７３番目〜４ｎ＋７６番目の要素導体３１がそれぞれ配置されるスロット１２は、それぞれ、４ｎ＋４９番目、４ｎ＋５０番目、４ｎ＋５１番目、４ｎ＋５２番目の要素導体３１が配置されるスロット１２と同じである。
【０１００】
また、４ｎ＋７３番目及び４ｎ＋７６番目の要素導体３１が第１要素導体群の要素導体（第１要素導体）であり、４ｎ＋７４番目及び４ｎ＋７５番目の要素導体３１が第２要素導体群の要素導体（第２要素導体）である。従って、７３−９６部分コイルにおいては、第１要素導体３１のそれぞれは、第７層又は第８層に配置され、第２要素導体３１のそれぞれは、第３層又は第４層に配置される。
【０１０１】
このため、７３−９６部分コイルにおける要素導体３１の配置は、４９−７２部分コイルの要素導体３１の全体を、ステータ１１の径方向外側に２層分だけずらした配置となっている。
【０１０２】
そして、４９−７２部分コイルの場合と同様に、７３番目〜９６番目の要素導体３１において、ステータ１１の周方向に第２の所定間隔（５スロットピッチの間隔）を有し、且つ、ステータ１１の径方向に所定間隔（４層分の間隔）を有する要素導体３１，３１の対（具体的には、４ｎ＋７３番目及び４ｎ＋７４番目の要素導体３１，３１の対、並びに、４ｎ＋７５番目及び４ｎ＋７６番目の要素導体３１，３１の対）が、接続対象の第１要素導体３１及び第２要素導体３１の対として、ステータ１１の軸方向第１端側で、第１渡り部４３を介して接続される（図６（ａ）を参照）。
【０１０３】
また、ステータ１１の周方向に第１の所定間隔（６スロットピッチの間隔）を有し、且つ、ステータ１１の径方向で隣り合う層の要素導体３１，３１の対（具体的には、４ｎ＋７４番目及び４ｎ＋７５番目の要素導体３１，３１の対、並びに、４ｎ’＋７６番目及び４ｎ’＋７７番目（ただし、ｎ’＝０，１，…，４）の要素導体３１，３１の対）が、接続対象の２つの第１要素導体３１，３１の対、又は、２つの第２要素導体３１，３１の対として、ステータ１１の軸方向第２端側で、第２渡り部４４を介して接続される（図６（ａ）を参照）。
【０１０４】
これにより、７３−９６部分コイルを構成する要素導体３１が、図６（ｂ）に例示するように、４９−７２部分コイルの場合と同じパターンで順次導通するように、直列に接続される。これにより、７３−９６部分コイルが構成される。
【０１０５】
この場合、７３番目〜７６番目の要素導体３１，３１，３１，３１を上記の如く直列に接続してなる組を１単位の要素導体群とみなした場合、７３−９６部分コイルは、６個の当該要素導体群を、ステータ１１の周方向負側に向かって１２スロットピッチの間隔（２×第１の所定間隔）で連接したものとして構成される。
【０１０６】
なお、図７（ｂ）に示すように、４９−７２部分コイルの７２番目の要素導体３１と、７３−９６部分コイルの７３番目の要素導体３１とは、ステータ１１の周方向に第１の所定間隔（６スロットピッチの間隔）を有するスロット１２，１２に配置されると共に、それぞれ、ステータ１１の径方向で隣り合う層（第６層、第７層）に位置する。そして、これらの要素導体３１，３１は、ステータ１１の軸方向第２端側において第２渡り部４４を介して接続される。これにより、７３−９６部分コイルが、４９−７２部分コイルに直列に接続される。
【０１０７】
以上が各相の第１コイル２１Ｘ１を構成する要素導体３１の全体の配置及び接続の形態である。
【０１０８】
また、Ｕ相、Ｖ相、Ｗ相のそれぞれの第１コイル２１Ｕ１，２１Ｖ１，２１Ｗ１は、次のように配置される。すなわち、図３及び図４を参照して判るように、Ｖ相の第１コイル２１Ｖ１のｋ番目（ｋ＝１，２，…，９６）の要素導体３１は、Ｕ相の第１コイル２１Ｕ１のｋ番目の要素導体３１が配置されたスロット１２から、ステータ１１の周方向正側に４スロットピッチの間隔を有するスロット１２に配置される。
【０１０９】
同様に、Ｗ相の第１コイル２１Ｗ１のｋ番目（ｋ＝１，２，…，９６）の要素導体３１は、Ｖ相の第１コイル２１Ｖ１のｋ番目の要素導体３１が配置されたスロット１２から、ステータ１１の周方向正側に４スロットピッチの間隔を有するスロット１２に配置される。
【０１１０】
従って、Ｕ相、Ｖ相、Ｗ相のそれぞれの第１コイル２１Ｕ１，２１Ｖ１，２１Ｗ１は、ステータ１１の周方向で、４スロットピッチの間隔ずつ、順番にずれた位置になるように配置される。
【０１１１】
次に、各相の第２コイル２１Ｘ２について説明する。各相の第２コイル２１Ｘ２は、第１コイル２１Ｘ１の場合と同様に、１番目〜２４番目の要素導体３１を直列に接続してなる１−２４部分コイルと、２５番目〜４８番目の要素導体３１を直列に接続してなる２５−４８部分コイルと、４９番目〜７２番目の要素導体３１を直列に接続してなる４９−７２部分コイルと、７３番目〜９６番目の要素導体３１を直列に接続してなる７３−９６部分コイルとを直列に接続したものとして構成される。
【０１１２】
そして、第２コイル２１Ｘ２の要素導体３１の配置及び接続の形態は、第１コイル２１Ｘ１の場合と同様に、１−２４部分コイルにおける形態、２５−４８部分コイルにおける形態、４９−７２部分コイルにおける形態、及び７３−９６部分コイルにおける形態とに大別される。
【０１１３】
さらに、第２コイル２１Ｘ２の上記各部分コイルを構成する要素導体３１（２４個の要素導体３１）は、第１コイル２１Ｘ１の場合と同様に、ステータ１１の周方向に前記第１の所定間隔のピッチ（６スロットピッチ）で並ぶ複数のスロット１２にそれぞれ挿入される複数の要素導体３１（第１要素導体）により構成される第１要素導体群と、第１要素導体群の要素導体３１が挿入されるスロット１２に対してステータ１１の周方向に位相がずれた状態で該周方向に前記第１の所定間隔のピッチ（６スロットピッチ）で並ぶ複数のスロット１２にそれぞれ挿入される複数の要素導体３１（第２要素導体）により構成される第２要素導体群とから構成される。
【０１１４】
この場合、第２コイル２１Ｘ２の１番目〜４８番目の要素導体３１（１−２４部分コイル及び２５−４８部分コイルを構成する要素導体３１）の配置及び接続の形態と、４９番目から９６番目の要素導体３１（４９−７２部分コイル及び７３−９６部分コイルを構成する要素導体３１）の配置及び接続の形態とは、それぞれ、第１コイル２１Ｘ１と同じである。
【０１１５】
従って、第２コイル２１Ｘ２においても、各部分コイルを構成する第２要素導体群の要素導体３１が挿入されるスロット１２（第２スロット）は、第１要素導体群の要素導体３１が挿入されるスロット１２（第１スロット）に対して、第１の所定間隔よりも小さい第２の所定間隔（５スロットピッチの間隔）だけステータ１１の周方向正側に位相がずれたスロットである。
【０１１６】
そして、第２コイル２１Ｘ２の１−２４部分コイル、２５−４８部分コイル、４９−７２部分コイル、及び７３−９６部分コイルのそれぞれにおいて、各第１要素導体３１は、第１コイル２１Ｘ１の場合と同様に、ステータ１１の径方向外側寄りの層（第５層〜第８層のいずれかの層）に配置される。また、各第２要素導体３１は、第１コイル２１Ｘ１の場合と同様に、ステータ１１の径方向内側寄りの層（第１層〜第４層のいずれかの層）に配置される。
【０１１７】
ただし、第２コイル２１Ｘ２では、４８番目及び４９番目の要素導体３１，３１の間の間隔（ステータ１１の周方向での間隔）が第１コイル２１Ｘ１と相違する。
【０１１８】
具体的には、図３及び図４を参照して判るように、第２コイル２１Ｘ２の１番目〜４８番目の各要素導体３１は、それぞれ、該第２コイル２１Ｘ２と同相の第１コイル２１Ｘ１の１番目〜４８番目の各要素導体３１がそれぞれ配置されたスロット１２に対して周方向正側に隣り合うスロット１２に配置される。
【０１１９】
すなわち、第２コイル２１Ｘ２の１番目〜４８番目の要素導体３１（１−２４部分コイル及び２５−４８部分コイルを構成する要素導体３１）は、その全体が、第１コイル２１Ｘ１の１番目〜４８番目の要素導体３１の全体に対して周方向正側に１スロットピッチの間隔だけずらした位置に配置される。
【０１２０】
一方、第２コイル２１Ｘ２の４９番目〜９６番目の各要素導体３１は、それぞれ、第１コイル２１Ｘ１の４９番目〜９６番目の各要素導体３１が配置されたスロット１２に対して周方向負側に隣り合うスロット１２に配置される。
【０１２１】
すなわち、第２コイル２１Ｘ２の４９番目〜９６番目の要素導体３１（４９−７２部分コイル及び７３−９６部分コイルを構成する要素導体３１）は、その全体が、第１コイル２１Ｘ１の４９番目〜９６番目の要素導体３１の全体に対して周方向負側に１スロットピッチの間隔だけずらした位置に配置される。
【０１２２】
このため、図８を参照して判るように、４８番目及び４９番目の要素導体３１，３１の間の間隔（ステータ１１の周方向での間隔）は、第１コイル２１Ｘ１では５スロットピッチの間隔となっているのに対して、第２コイル２１Ｘ２では、７スロットピッチの間隔となっている。
【０１２３】
そして、詳細は後述するが、第２コイル２１Ｘ２の４８番目及び４９番目の要素導体３１，３１は、各相毎に、ステータ１１の軸方向第２端側で、図８に示す如く、ブリッジ導体５２Ｘ（５２Ｕ又は５２Ｖ又は５２Ｗ）を介して接続される。
【０１２４】
第２コイル２１Ｘ２の１番目〜９６番目の要素導体３１の配置及び接続の形態は、以上説明した事項以外は、第１コイル２１Ｘ１と同じである。また、Ｕ相、Ｖ相、Ｗ相の第２コイル２１Ｕ２、２１Ｖ２、２１Ｗ２の相互の配置形態は、第１コイル２１Ｕ１、２１Ｖ１、２１Ｗ１の相互の配置形態と同じである。
【０１２５】
次に、各相の第１コイル２１Ｘ１及び第２コイル２１Ｘ２のそれぞれにおける要素導体３１，３１同士の接続構造（第１渡り部４３及び第２渡り部４４の構造）をより具体的に説明する。
【０１２６】
本実施形態では、各要素導体３１は、図９（ａ），（ｂ）に示すセグメント導体４０の一部分として形成される。このセグメント導体４０は、第１渡り部４３により接続する要素導体３１，３１の対（第１要素導体３１及び第２要素導体３１の対）をそれぞれ形成する４つの二股導体部材４１の束である。
【０１２７】
セグメント導体４０は、互いに絶縁された４本の導体線をそれらの横断方向に一列に整列させてなる導体線束を、図９（ａ）に示すように二股形状（略Ｕ字状）に成形することで作成されたものである。そして、このセグメント導体４０を構成する４つの二股形状の導体線のそれぞれが二股導体部材４１である。
【０１２８】
セグメント導体４０の各二股導体部材４１は、二股形状に成形されていることで、ステータ１１の互いに異なるスロット１２，１２に挿入される２つの脚部４２，４２と、該脚部４２，４２の基端部同士を連結する部分としての第１渡り部４３とを一体に有する構造のものである。
【０１２９】
各二股導体部材４１の２つの脚部４２，４２のうちの一方側の脚部４２は、１つの第１要素導体３１を形成するための脚部（以降、第１要素導体形成用脚部４２ということがある）である。また、各二股導体部材４１の他方側の脚部４２は、一方側の脚部４２により形成される第１要素導体３１と接続すべき第２要素導体３１を形成するための脚部（以降、第２要素導体形成用脚部４２ということがある）である。
【０１３０】
この場合、セグメント導体４０は、各二股導体部材４１の２つの脚部４２，４２が、ステータ１１の周方向と径方向とにそれぞれ所定間隔を存して、ステータ１１の軸方向に延在するように成形されている。ステータ１１の周方向における脚部４２，４２の間の間隔は、図５（ａ）又は図６（ａ）に示すように、前記第２の所定間隔（５スロットピッチの間隔）である。
【０１３１】
また、ステータ１１の径方向における脚部４２，４２の間隔は、図５（ａ）又は図６（ａ）に示すように、４層分の間隔である。
【０１３２】
そして、各セグメント導体４０の第１要素導体形成用脚部４２の束と、第２要素導体形成用脚部４２の束とを、ステータ１１の周方向に第２の所定間隔（５スロットピッチの間隔）を有する２つのスロット１２，１２にステータ１１の軸方向第１端側から各々挿入することで、当該２つのスロット１２，１２の一方のスロット１２において、第１要素導体形成用脚部４２の束により第５層〜第８層の第１要素導体３１の束が形成される。さらに、当該２つのスロット１２，１２の他方のスロット１２（一方のスロット１２から周方向正側に第２の所定間隔を有するスロット１２）において、第２要素導体形成用脚部４２の束により第１層〜第４層の第２要素導体３１の束が形成される。
【０１３３】
そして、第１層〜第４層の要素導体３１は、それぞれ、ステータ１１の径方向に４層分の間隔を有する第５層〜第８層の要素導体３１のそれぞれに、ステータ１１の軸方向第１端側で第１渡り部４３を介して接続された状態となる。
【０１３４】
なお、この場合、第５層〜第８層の第１要素導体３１の並び順（ステータ１１の径方向での並び順と、第５層〜第８層の各第１要素導体３１にそれぞれ接続する第１層〜第４層の第２要素導体３１の並び順（ステータ１１の径方向での並び順）とは、互いに同じである。従って、セグメント導体４０の４つの二股導体部材４１は、それぞれの第１渡り部４３を含めて、ステータ１１の径方向に整列することとなる。
【０１３５】
このように、セグメント導体４０の各二股導体部材４１は、１つのスロット１２においてステータ１１の径方向外側の４つの層（第５層〜第８層）の１つの層に配置される第１要素導体３１と、当該１つのスロット１２に対してステータ１１の周方向正側に５スロットピッチの間隔を有する他のスロット１２においてステータ１１の径方向内側の４つの層（第１層〜第４層）の１つの層に配置される第２要素導体３１との対を２つの脚部４２，４２により形成する。
【０１３６】
さらに、各二股導体部材４１は、上記第１要素導体３１と第２要素導体３１との対を、ステータ１１の軸方向第１端側で接続する第１渡り部４３を形成する。
【０１３７】
そして、ステータ１１の各スロット１２には、２つのセグメント導体４０の一方のセグメント導体４０の第１要素導体形成用脚部４２の束が第５層〜第８層の位置に挿入されると共に、他方のセグメント導体４０の第２要素導体形成用脚部４２の束が第１層〜第４層の位置に挿入される。これにより、各スロット１２の第１層〜第８層の要素導体３１が形成される。
【０１３８】
以上のようにセグメント導体４０を構成する４つの二股導体部材４１の第１要素導体形成用脚部４２の束と、第２要素導体形成用脚部４２の束とをスロット１２に挿入することで、各相の第１コイル２１Ｘ１及び第２コイル２１Ｘ２のそれぞれの１番目〜９６番目の要素導体３１をスロット１２に図３及び図４に示したパターンで配置することと、接続対象の第１要素導体３１及び第２要素導体３１の対を、ステータ１１の軸方向第１端側で、図５（ａ）又は図６（ａ）に示した如く接続することとが一括して実現される。
【０１３９】
スロット１２に軸方向第１端側から挿入される各セグメント導体４０の各脚部４２の先端側部分は、図９（ａ）に示した如く、該スロット１２から軸方向第２端側に突出する。そして、各スロット１２から軸方向第２端側に突出した各セグメント導体４０の４つの脚部４２の先端側部分は、図９（ｂ）に示す如く相互に分離されて、ステータ１１の周方向に折り曲げられる。この折り曲げにより、スロット１２の各要素導体３１をステータ１１の軸方向第２端側で他の要素導体３１に接続するための第２渡り部４４が形成されることとなる。
【０１４０】
この場合、図５（ａ）又は図６（ａ）に示すように、第２層、第４層、第５層及び第８層の要素導体３１にそれぞれ連なる第２渡り部４４が周方向正側に折り曲げられる。また、第１層、第３層、第６層及び第８層の要素導体３１にそれぞれ連なる第２渡り部４４が周方向負側に折り曲げられる。従って、第２層、第４層、第５層及び第８層の要素導体３１にそれぞれ連なる第２渡り部４４と、第１層、第３層、第６層及び第８層の要素導体３１にそれぞれ連なる第２渡り部４４とは、ステータ１１の周方向で互いに接近する側に折り曲げられる。
【０１４１】
なお、１つの要素導体３１に連なる第２渡り部４４は、ステータ１１の周方向で６スロットルピッチ（第２の所定間隔）の半分程度の長さを有するものとされている。また、第２渡り部４４の先端部は、図９（ｂ）に示す如く、ステータ１１の軸方向に起立するように折り曲げられている。
【０１４２】
そして、各相の第１コイル２１Ｘ１及び第２コイル２１Ｘ２のそれぞれの１番目〜９６番目の要素導体３１が、図３及び図４に示した接続順番で導通するように、接続順番が隣り合う第１要素導体３１，３１の対、又は第２要素導体３１，３１の対にそれぞれ連なる第２渡り部４４，４４の先端部同士が直接的に接続され、もしくは後述のブリッジ導体５１Ｘ，５２Ｘを介して接続される。
【０１４３】
さらに詳細には、各相の第１コイル２１Ｘ１及び第２コイル２１Ｘ２のそれぞれにおいて、ステータ１１の軸方向第２端側で接続すべき要素導体３１，３１の対は、４ｎa＋２番目及び４ｎa＋３番目（ただし、ｎa＝０，１，…，２３）の第２要素導体３１，３１の対、並びに、４ｎb＋４番目及び４ｎb＋５番目（ただし、ｎb＝０，１，…，２２）の第１要素導体３１，３１の対である。
【０１４４】
なお、４ｎa＋２番目及び４ｎa＋３番目の第２要素導体３１，３１の対の一方を形成する二股導体部材４１の脚部４２と、該対の他方を形成する二股導体部材４１の脚部４２とがそれぞれ、本発明における脚部Ａ２ａ，Ａ２ｂに相当するものである。
【０１４５】
また、４ｎb＋４番目及び４ｎb＋５番目の第１要素導体３１，３１の対の一方を形成する二股導体部材４１の脚部４２と、該対の他方を形成する二股導体部材４１の脚部４２とがそれぞれ、本発明における脚部Ａ１ａ，Ａ１ｂに相当するものである。
【０１４６】
これらの要素導体３１，３１の対（第１要素導体３１，３１の対、及び第２要素導体３１，３１の対）のうち、４８番目及び４９番目の要素導体３１，３１の対を除く要素導体３１，３１の対は、図３及び図４に示した配置パターンによって、いずれの対においても、ステータ１１の径方向での要素導体３１，３１の位置（層）が１層分だけずれたものとなる（例えば図５（ａ）に白色で示す２番目及び３番目の要素導体３１，３１の対、２８番目及び２９番目の要素導体３１，３１の対、あるいは、グレー色で示す７０番目及び７１番目の要素導体３１，３１の対等を参照）。
【０１４７】
そして、当該対の要素導体３１，３１のそれぞれに連なる第２渡り部４４，４４の先端部同士は、ステータ１１の径方向で対向するように近接する。
【０１４８】
従って、本実施形態では、ステータ１１の軸方向第２端側で接続すべき要素導体３１，３１の対のうち、４８番目及び４９番目の要素導体３１，３１の対を除く要素導体３１，３１の対においては、当該対の要素導体３１，３１のそれぞれに連なる第２渡り部４４，４４の先端部同士が直接的に接続される。その接続は、例えば溶接によってなされる。
【０１４９】
この場合、当該対の要素導体３１，３１のそれぞれに連なる第２渡り部４４，４４の先端部同士が近接しているので、これらを接続することを容易に行うことができる。
【０１５０】
このように、ステータ１１の軸方向第２端側での接続対象の第１要素導体３１，３１の対のそれぞれと、接続対象の第２要素導体３１，３１の対のそれぞれとを接続する第２渡り部４４は、当該対の要素導体３１，３１を形成する脚部４２，４２の先端側部分を、ステータ１１の周方向で互いに接近する向きにを折り曲げた状態で接続してなる部材として構成される。
【０１５１】
補足すると、各相の第１コイル２１Ｘ１及び第２コイル２１Ｘ２のそれぞれの１−２４部分コイルにおいては、図５（ａ）又は図６（ａ）に例示されるように、接続順番が隣り合う第３層及び第４層の第２要素導体３１，３１の対、並びに、接続順番が隣り合う第７層及び第８層の第１要素導体３１，３１の対が、ステータ１１の軸方向第２端側で上記の如く第２渡り部４４を介して接続される。
【０１５２】
また、２５−４８部分コイルにおいては、図５（ａ）又は図６（ａ）に例示されるように、接続順番が隣り合う第１層及び第２層の第２要素導体３１，３１の対、並びに、接続順番が隣り合う第５層及び第６層の第１要素導体３１，３１の対が、ステータ１１の軸方向第２端側で上記の如く第２渡り部４４を介して接続される。
【０１５３】
そして、図７（ａ）に示すように、２４番目及び２５番目の要素導体３１，３１の対は、ステータ１１の軸方向第２端側で上記の如く第２渡り部４４を介して接続されるものであるものの、該要素導体３１，３１の対は、第６層及び第７層の第１要素導体の対である。
【０１５４】
従って、１−２４部分コイルにおいて、ステータ１１の軸方向第２端側で接続される要素導体３１，３１の層の組と、２５−４８部分コイルにおいて、ステータ１１の軸方向第２端側で接続される要素導体３１，３１の層の組とは、２４番目及び２５番目の要素導体３１，３１の接続を介して切替わることとなる。
【０１５５】
また、各相の第１コイル２１Ｘ１及び第２コイル２１Ｘ２のそれぞれの４９−７２部分コイルにおいては、図５（ａ）又は図６（ａ）に例示されるように、接続順番が隣り合う第１層及び第２層の第２要素導体３１，３１の対、並びに、接続順番が隣り合う第５層及び第６層の第１要素導体３１，３１の対が、ステータ１１の軸方向第２端側で上記の如く第２渡り部４４を介して接続される。
【０１５６】
また、７３−９６部分コイルにおいては、図５（ａ）又は図６（ａ）に例示されるように、接続順番が隣り合う第３層及び第４層の第２要素導体３１，３１の対、並びに、接続順番が隣り合う第７層及び第８層の第１要素導体３１，３１の対が、ステータ１１の軸方向第２端側で上記の如く第２渡り部４４を介して接続される。
【０１５７】
そして、図７（ｂ）に示すように、７２番目及び７３番目の要素導体３１，３１は、ステータ１１の軸方向第２端側で上記の如く第２渡り部４４を介して接続されるものであるものの、該要素導体３１，３１の対は、第６層及び第７層の第１要素導体の対である。
【０１５８】
従って、４９−７２部分コイルにおいて、ステータ１１の軸方向第２端側で接続される要素導体３１，３１の層の組と、７３−９６部分コイルにおいて、ステータ１１の軸方向第２端側で接続される要素導体３１，３１の層の組とは、７２番目及び７３番目の要素導体３１，３１の接続を介して切替わることとなる。
【０１５９】
次に、各相の第１コイル２１Ｘ１及び第２コイル２１Ｘ２のそれぞれにおいて、４８番目及び４９番目の要素導体３１，３１の対をステータ１１の軸方向第２端側で接続する構成を説明する。
【０１６０】
４８番目及び４９番目の要素導体３１，３１の対は、第１コイル２１Ｘ１及び第２コイル２１Ｘ２のいずれにおいても、第５層に配置される第１要素導体の対である。そして、４８番目及び４９番目の要素導体３１，３１は、前記したように、第１コイル２１Ｘ１では、ステータ１１の周方向で５スロットピッチの間隔を有するスロット１２，１２に配置され、第２コイル２１Ｘ２では、ステータ１１の周方向で７スロットピッチの間隔を有するスロット１２，１２に配置される。
【０１６１】
また、前記した各セグメント導体４０の各二股導体部材４１の第２渡り部４４の折り曲げ（ステータ１１の周方向への折り曲げ）によって、４８番目及び４９番目の要素導体３１，３１にそれぞれ連なる第２渡り部４４，４４は、図８に示す如く、いずれも周方向正側に折り曲げられる。
【０１６２】
なお、図８では、図示の便宜上、４８番目及び４９番目の要素導体３１，３１にそれぞれ連なる第２渡り部４４，４４を、ステータ１１の径方向で実際の位置からずらした状態で記載している。これらの第２渡り部４４，４４は、実際には、ステータ１１の径方向で、４８番目及び４９番目の要素導体３１，３１と同一の層（第５層）の位置に配置される。
【０１６３】
従って、４８番目及び４９番目の要素導体３１，３１にそれぞれ連なる第２渡り部４４，４４の先端部同士は、第１コイル２１Ｘ１では、ステータ１１の周方向に５スロットピッチ程度の間隔を有し、第２コイル２１Ｘ２では、ステータ１１の周方向に７スロットピッチ程度の間隔を有する。
【０１６４】
また、各相の第１コイル２１Ｘ１及び第２コイル２１Ｘ２の４８番目及び４９番目の要素導体３１，３１にそれぞれ連なる第２渡り部４４，４４の先端部は、図８に示すような順番でステータ１１の周方向に並んでいる。
【０１６５】
具体的には、ステータ１１の周方向負側から周方向正側に向かって、Ｕ相の第１コイル２１Ｘ１及び第２コイル２１Ｘ２の４９番目の要素導体３１，３１にそれぞれ連なる第２渡り部４４，４４の先端部の対、Ｖ相の第１コイル２１Ｘ１及び第２コイル２１Ｘ２の４９番目の要素導体３１，３１にそれぞれ連なる第２渡り部４４，４４の先端部の対、Ｕ相の第１コイル２１Ｘ１及び第２コイル２１Ｘ２の４８番目の要素導体３１，３１にそれぞれ連なる第２渡り部４４，４４の先端部の対、Ｗ相の第１コイル２１Ｘ１及び第２コイル２１Ｘ２の４９番目の要素導体３１，３１にそれぞれ連なる第２渡り部４４，４４の先端部の対、Ｖ相の第１コイル２１Ｘ１及び第２コイル２１Ｘ２の４８番目の要素導体３１，３１にそれぞれ連なる第２渡り部４４，４４の先端部の対、Ｗ相の第１コイル２１Ｘ１及び第２コイル２１Ｘ２の４８番目の要素導体３１，３１にそれぞれ連なる第２渡り部４４，４４の先端部の対が順番に並んでいる。
【０１６６】
そこで、本実施形態では、各相の第１コイル２１Ｘ１において、４８番目及び４９番目の要素導体３１，３１にそれぞれ連なる第２渡り部４４，４４同士は、ブリッジ導体５１Ｘ（５１Ｕ，５１Ｖ，５１Ｗ）を介して接続される。同様に、第２コイル２１Ｘ２において、４８番目及び４９番目の要素導体３１，３１にそれぞれ連なる第２渡り部４４，４４同士は、ブリッジ導体５２Ｘ（５２Ｕ，５２Ｖ，５２Ｗ）を介して接続される。
【０１６７】
この場合、各相におけるブリッジ導体５１Ｘ，５２Ｘは、４８番目の要素導体３１に連なる第２渡り部４４の先端部と、４９番目の要素導体３１に連なる第２渡り部４４の先端部との間でステータ１１の径方向に張り出すように凸形状（具体的には、矩形状）に形成されている。
【０１６８】
また、各相毎に、第１コイル２１Ｘ１のブリッジ導体５１Ｘが、第２コイル２１Ｘ２のブリッジ導体５２Ｘの内側に収まるように、ステータ１１の径方向でのブリッジ導体５１Ｘの幅が、ブリッジ導体５２Ｘの幅よりも小さく、且つ、ステータ１１の周方向でのブリッジ導体５１Ｘの長さが、ブリッジ導体５２Ｘの長さよりも小さいものとされている。
【０１６９】
なお、ステータ１１の周方向でのブリッジ導体５１Ｘの長さは、第１コイル２１Ｘ１の４８番目及び４９番目の要素導体３１，３１の間の間隔（５スロットピッチの間隔）と同程度の長さである。また、ステータ１１の周方向でのブリッジ導体５２Ｘの長さは、第２コイル２１Ｘ２の４８番目及び４９番目の要素導体３１，３１の間の間隔（７スロットピッチの間隔）と同程度の長さである。
【０１７０】
以降の説明では、ステータ１１の径方向でのブリッジ導体５１Ｘ，５２Ｘの幅を張り出し高さ、ステータ１１の周方向でのブリッジ導体５１Ｘ，５２Ｘの長さを周方向長さという。
【０１７１】
そして、各相毎に、ブリッジ導体５１Ｘの両端部が、第１コイル２１Ｘ１の４８番目及び４９番目の要素導体３１，３１にそれぞれ連なる第２渡り部４４，４４の先端部に各々溶接により接続される。同様に、ブリッジ導体５２Ｘの両端部が、第２コイル２１Ｘ２の４８番目及び４９番目の要素導体３１，３１にそれぞれ連なる第２渡り部４４，４４の先端部に各々溶接により接続される。
【０１７２】
この場合、本実施形態では、４８番目及び４９番目の要素導体３１，３１にそれぞれ連なる第２渡り部４４，４４は、それぞれの先端部が、ステータ１１の軸方向でのブリッジ導体５１Ｘ，５２Ｘの幅（厚さ）と同程度の長さだけ、他の要素導体３１に連なる第２渡り部４４の先端部よりもステータ１１の軸方向に突出する（当該軸方向での高さが高くなる）ように形成されている（図１１を参照）。なお、ステータ１１の軸方向でのブリッジ導体５１Ｘ，５２Ｘの幅（厚さ）は、ブリッジ導体５１Ｘ，５２Ｘの周囲に設けられる絶縁部材（絶縁被膜等）の厚み分を含めた厚さである。
【０１７３】
このため、ブリッジ導体５１Ｘ，５２Ｘの各端部を、４８番目又は４９番目の要素導体３１の先端部にステータ１１の径方向から溶接することを容易に行うことが可能となっている。
【０１７４】
さらに、各相のブリッジ導体５１Ｘ，５２Ｘが、他の相のブリッジ導体５１Ｘ，５２Ｘと干渉しないようにするために、Ｕ相のブリッジ導体５１Ｕ，５２Ｕと、Ｖ相のブリッジ導体５１Ｖ，５２Ｖと、Ｗ相のブリッジ導体５１Ｗ，５２Ｗとのうち、ステータ１１の周方向で両側に位置する２つの相のブリッジ導体と、当該２つ相のブリッジ導体の間に位置するブリッジ導体とを、ステータ１１の径方向で互いに逆向きに張り出させる（径方向でで逆向きに凸となる）ように各相のブリッジ導体５１Ｘ，５２Ｘが形成されている。
【０１７５】
具体的には、本実施形態では、Ｕ相のブリッジ導体５１Ｕ，５２Ｕと、Ｖ相のブリッジ導体５１Ｖ，５２Ｖと、Ｗ相のブリッジ導体５１Ｗ，５２Ｗとのうち、ステータ１１の周方向で両側に位置する２つの相のブリッジ導体は、Ｕ相のブリッジ導体５１Ｕ，５２Ｕと、Ｗ相のブリッジ導体５１Ｗ，５２Ｗである。この場合、Ｕ相の長い方のブリッジ導体５２Ｕの周方向正側の端部と、Ｗ相の長い方のブリッジ導体５２Ｗの周方向負側の端部とは、ほぼ１スロットピッチ程度の間隔を有する。
【０１７６】
そして、Ｕ相のブリッジ導体５１Ｕ，５２Ｕと、Ｗ相のブリッジ導体５１Ｗ，５２Ｗとは、それぞれが、ステータ１１の径方向内側に張り出す（凸となる）ように形成されている。
【０１７７】
また、Ｖ相のブリッジ導体５１Ｖ，５２Ｖは、その周方向の中央部が、Ｕ相のブリッジ導体５１Ｕ，５２Ｕと、Ｗ相のブリッジ導体５１Ｗ，５２Ｗとの中間に位置する。
【０１７８】
そして、Ｖ相のブリッジ導体５１Ｖ，５２Ｖは、ステータ１１の径方向外側、すなわち、Ｕ相のブリッジ導体５１Ｕ，５２Ｕ及びＷ相のブリッジ導体５１Ｗ，５２Ｗと逆向きに張り出す（凸となる）ように形成されている。
【０１７９】
なお、径方向内側に張り出すＵ相のブリッジ導体５１Ｕ，５２Ｕ及びＷ相のブリッジ導体５１Ｗ，５２Ｗの張り出し高さは、これらのブリッジ導体５１Ｕ，５２Ｕ，５１Ｗ，５２Ｗがステータ１１の内周面よりも内側に突出することがないような高さに設定されている。
【０１８０】
また、径方向外側に張り出すＶ相のブリッジ導体５１Ｖ，５２Ｖの張り出し高さは、該ブリッジ導体５１Ｖ，５２Ｖがステータ１１の外周面よりも外側に突出することがないような高さに設定されている。
【０１８１】
ここで、図１０は各相の第１コイル２１Ｘ１及び第２コイル２１Ｘ２を装着したステータ１１の軸方向第２端側の端部の一部を該ステータ１１の軸方向で見た図を示し、図１１は該ステータ１１の軸方向第２端側の端部の一部の斜視図を示している。
【０１８２】
上記のように、Ｕ相のブリッジ導体５１Ｕ，５２Ｕ、Ｖ相のブリッジ導体５１Ｖ，５２Ｖ、及びＷ相のブリッジ導体５１Ｗ，５２Ｗを配置及び形成しておくことで、図１０及び図１１に見られる如く、ブリッジ導体５１Ｕ，５２Ｕ，５１Ｖ，５２Ｖ，５１Ｗ，５２Ｗが相互に干渉するのを防止することができる。
【０１８３】
さらに、ブリッジ導体５１Ｕ，５２Ｕ，５１Ｖ，５２Ｖ，５１Ｗ，５２Ｗは、ステータ１１の内周面と外周面との間の間隔が比較的小さくとも、ステータ１１の内周面よりも内側もしくは外周面よりも外側に突出することが防止され、該内周面と外周面との間の間隔内に配置される。
【０１８４】
また、ブリッジ導体５１Ｕ，５２Ｕ，５１Ｖ，５２Ｖ，５１Ｗ，５２Ｗが、ステータ１１の第２端側で互いに近接した箇所に集中して配置されるので、これらのブリッジ導体を渡り部４４に溶接等により接続する作業を効率よく行うことができる。
【０１８５】
また、ステータ１１の軸方向でのブリッジ導体５１Ｕ，５２Ｕ，５１Ｖ，５２Ｖ，５１Ｗ，５２Ｗの高さ位置は、いずれのブリッジ導体についても同じである。しかも、該ブリッジ導体の高さ位置は、４８番目及び４９番目の要素導体３１，３１以外の要素導体３１，３１の対を接続する第２渡り部４４よりも、該ブリッジ導体の厚み分だけ高い位置であるので、ステータ１１の軸方向第２端側の端面に十分に近接している。
【０１８６】
このため、各相のコイル２１Ｘを含めた回転電機の軸方向の長さを必要最小限に留めて、該回転電機の小型化を実現できる。
【０１８７】
なお、本実施形態ではＵ相のブリッジ導体５１Ｕ，５２Ｕと、Ｗ相のブリッジ導体５１Ｗ，５２Ｗとを、それぞれ、ステータ１１の径方向内側に張り出す（凸となる）ように形成し、Ｖ相のブリッジ導体５１Ｖ，５２Ｖを、ステータ１１の径方向外側に張り出す（凸となる）ように形成した。ただし、Ｕ相のブリッジ導体５１Ｕ，５２Ｕと、Ｗ相のブリッジ導体５１Ｗ，５２Ｗとを、ステータ１１の径方向外側に張り出すように形成し、Ｖ相のブリッジ導体５１Ｖ，５２Ｖを、ステータ１１の径方向内側に張り出すように形成してもよい。
【０１８８】
以上の如く構成されるＵ相、Ｖ相、Ｗ相の各相の第１コイル２１Ｘ１及び第２コイル２１Ｘ２のそれぞれの一端側の要素導体３１は、以下に説明する如く、ステータ１１の軸方向第２端側において、３相共通の中性点２２に相互に接続される。また、各相の第１コイル２１Ｘ１及び第２コイル２１Ｘ２のそれぞれの他端側の要素導体３１は、以下に説明する如く、ステータ１１の軸方向第２端側において、各相毎の電流入出端子２３Ｘに接続される。
【０１８９】
本実施形態では、中性点２２に接続する要素導体３１は、各相の第１コイル２１Ｘ１及び第２コイル２１Ｘ２のいずれにおいても、９６番目の要素導体３１である。そして、中性点２２は、図８又は図１０に示す如く矩形状に形成された中性点形成導体５３により構成される。
【０１９０】
図８に示すように、この中性点形成導体５３は、Ｕ相の第１コイル２１Ｕ１及び第２コイル２１Ｕ２のそれぞれの９６番目の要素導体３１，３１に連なる第２渡り部４４，４４の先端部に接続するＵ相接続部５３Ｕと、Ｖ相の第１コイル２１Ｖ１及び第２コイル２１Ｖ２のそれぞれの９６番目の要素導体３１，３１に連なる第２渡り部４４，４４の先端部に接続するＶ相接続部５３Ｖと、Ｗ相の第１コイル２１Ｗ１及び第２コイル２１Ｗ２のそれぞれの９６番目の要素導体３１，３１に連なる第２渡り部４４，４４の先端部に接続するＷ相接続部５３Ｗとを、ステータ１１の周方向正側に向かって一定間隔（４スロットピッチ程度の間隔）で順番に備える。
【０１９１】
なお、図８では、図示の便宜上、９６番目の要素導体３１に連なる第２渡り部４４のそれぞれを、破線で示すと共に、ステータ１１の径方向で実際の位置からずらした状態で記載している。これらの第２渡り部４４は、実際には、ステータ１１の径方向で、９６番目の要素導体３１と同一の層（最外側の層である第８層）の位置に配置される。
【０１９２】
そして、中性点形成導体５３は、ステータ１１の周方向で隣り合うＵ相接続部５３ＵとＶ相接続部５３Ｖとの間の部分５３ａと、Ｖ相接続部５３ＶとＷ相接続部５３Ｗとの間の部分５３ｂとが、各相接続部５３Ｕ，５３Ｖ，５３Ｗよりもステータ１１の径方向外側に張り出す（凸となる）ように形成されている。これらの部分５３ａ，５３ｂは、ステータ１１の周方向に延在する。
【０１９３】
このように形成された中性点形成導体５３のＵ相接続部５３Ｕ、Ｖ相接続部５３Ｖ、Ｗ相接続部５３Ｗが、それぞれ図８に示すように、ステータ１１の軸方向第２端側で、対応する相の第１コイル２１Ｘ１及び第２コイル２１Ｘ２のそれぞれの９６番目の要素導体３１，３１に連なる第２渡り部４４，４４の先端部に径方向外側から溶接により接続される。
【０１９４】
これにより、Ｕ相、Ｖ相、Ｗ相の各相の第１コイル２１Ｘ１及び第２コイル２１Ｘ２のそれぞれの一端側の要素導体３１（９６番目の要素導体３１）が、ステータ１１の軸方向第２端側において、３相共通の中性点２２として中性点形成導体５３に接続される。
【０１９５】
次に、本実施形態では、各相の電流入出端子２３Ｘに接続する要素導体３１は、各相の第１コイル２１Ｘ１及び第２コイル２１Ｘ２のいずれにおいても、１番目の要素導体３１である。
【０１９６】
そして、本実施形態では、図８及び図１１に示すように、各相毎に、電流入出端子２３Ｘ（２３Ｕ，２３Ｖ，２３Ｗ）に接続コード５５Ｘ（５５Ｕ，５５Ｖ，５５Ｗ）を介して接続された導体端子部材５４Ｘ（５４Ｕ，５４Ｖ，５４Ｗ）が、ステータ１１の軸方向第２端側において、対応する相の第１コイル２１Ｘ１及び第２コイル２１Ｘ２のそれぞれの１番目の要素導体３１，３１に連なる第２渡り部４４，４４の先端部に径方向外側から溶接により接続される。
【０１９７】
これにより、各相毎に、第１コイル２１Ｘ１及び第２コイル２１Ｘ２のそれぞれの１番目の要素導体３１，３１が、ステータ１１の軸方向第２端側において、電流入出端子２３Ｘに接続される。
【０１９８】
なお、図８では、図示の便宜上、１番目の要素導体３１に連なる第２渡り部４４のそれぞれを、ステータ１１の径方向で実際の位置からずらした状態で記載している。これらの第２渡り部４４は、実際には、ステータ１１の径方向で、１番目の要素導体３１と同一の層（最外側の層である第８層）の位置に配置される。
【０１９９】
この場合、図８に示すように、Ｕ相の導体端子部材５４Ｕは、ステータ１１の周方向での位置が中性点形成導体５３と重なるものの、該導体端子部材５４Ｕの位置では、中性点形成導体５３の張り出し部分５３ｂ（径方向に凸となる部分）が該導体端子部材５４Ｕに対向するように形成されている。このため、導体端子部材５４Ｕと電流入出端子２３Ｕとの間の接続コード５５Ｕを容易に配線することができる。
【０２００】
以上が、本実施形態の回転電機においてステータ１１に装着されるコイル２１の構造である。
【０２０１】
本実施形態によれば、ステータ１１の軸方向第１端側で第１渡り部４３により接続する第１要素導体３１及び第２要素導体３１の対は、ステータ１１の周方向に５スロットピッチ（第２の所定間隔）を有するスロット１２，１２に挿入される２つの要素導体の対である。
【０２０２】
また、ステータ１１の軸方向第２端側で第２渡り部４４により接続する２つの第１要素導体３１の対、及び２つの第２要素導体３１の対は、ステータ１１の周方向に６スロットピッチ（第１の所定間隔）を有するスロット１２，１２に挿入される２つの要素導体の対である。
【０２０３】
従って、ステータ１１の周方向における第２渡り部４４の長さを規定する第１の所定間隔は、スロット１２の単位ピッチに１極当たりのスロット数Ｎ（＝６）を乗じてなる間隔である一方、ステータ１１の周方向における第１渡り部４３の長さを規定する第２の所定関間隔は、Ｎ×単位ピッチ（６スロットピッチ）よりも小さい間隔（５スロットピッチ）となっている。
【０２０４】
このため、本実施形態では、第１の所定間隔と第２の所定間隔との総和は、Ｎ×単位ピッチ（６スロットピッチ）の２倍の間隔よりも小さい。従って、本実施形態の回転電機では、前記した従来の回転電機に比べて、ステータ１１の軸方向における第１渡り部４３の最大の高さと第２渡り部４４の最大の高さとの総和を小さくすることができる。
【０２０５】
この結果、回転電機の軸方向の長さを短くして、該回転電機を小型化することができる。
【０２０６】
さらに、本実施形態によれば、第１の所定間隔と第２の所定間隔とを上記の如く設定しておくことで、第１コイル２１Ｘ１及び第２コイル２１Ｘ２のそれぞれに関して、ステータ１１の周方向に２スロットピッチで並ぶスロット１２のそれぞれに、Ｕ相、Ｖ相、Ｗ相のうちの２つの相のコイルを構成する要素導体３１が配置されることとなる。
【０２０７】
具体的には、図３及び図４において、スロット番号が奇数番の各スロット１２には、１つの相のコイルを構成する要素導体３１だけが配置される一方、スロット番号の偶数番の各スロット１２には、２つの相のコイルを構成する要素導体３１が配置される。
【０２０８】
加えて、さらに、本実施形態では、第２の所定間隔は、Ｎ×単位ピッチ（６スロットピッチ）よりも１スロットピッチだけ小さい（Ｎ−１）×単位ピッチ（５スロットピッチ）の間隔である。
【０２０９】
このため、Ｕ相、Ｖ相、Ｗ相の各コイル２１Ｕ，２１Ｖ，２１Ｗに順次通電することにより生成される磁束の時間的変化や、ステータ１１の周方向における磁束の分布が滑らかなものとなる。
【０２１０】
このため、回転電機のロータに発生するトルクの変動を抑制することができると共に、該トルクの変動に起因して発生する騒音を低減できる。
【０２１１】
なお、以上説明した実施形態では、前記第２の所定間隔を、第１の所定間隔よりも１スロットピッチだけ小さい間隔にしたが、第２の所定間隔を第１の所定間隔よりも２スロットピッチ以上小さい間隔（例えば、４スロットピッチ、３スロットピッチ等）としてもよい。
【０２１２】
また、前記実施形態では、各相のコイル２１Ｘ（２１Ｕ，２１Ｖ，２１Ｗ）を、並列接続する第１コイル２１Ｘ１及び第２コイル２１Ｘ２により構成したが、第１コイル２１Ｘ１及び第２コイル２１Ｘ２の一方だけにより構成してもよい。
【０２１３】
また、前記実施形態では、ステータ１１に３相のコイル２１Ｘ（２１Ｕ，２１Ｖ，２１Ｗ）を装着するようにしたが、１相もしくは２相のコイルだけを装着するようにしてもよい。
【０２１４】
また、前記実施形態では、各相の第１コイル２１Ｘ１及び第２コイル２１Ｘ２を、１−２４部分コイル、２５−４８部分コイル、４９−７２部分コイル、及び７３−９６部分コイルの４個の部分コイルを直列接続することで構成するようにした。ただし、各相のコイルを、上記４個の部分コイルの１つだけで構成したり、あるいは、上記４個の部分コイルのうちの２つの部分コイルを直列に接続することで構成するようにしてもよい。
【０２１５】
また、前記実施形態では、４つの二股導体部材４１を一束にしたセグメント導体４０を用いたが、個々の二股導体部材４１が相互に分離されていてもよい。
【０２１６】
さらに、二股導体部材４１を使用せずに、接続対象の第１要素導体３１及び第２要素導体３１の対をこれらと別体の第１渡り部を介して接続したり、あるいは、接続対象の第１要素導体３１の対、及び第２要素導体３１の対をこれらと別体の第２渡り部を介して接続するようにすることも可能である。
【符号の説明】
【０２１７】
１１…ステータ、１２…スロット、２１Ｕ１，２１Ｕ２，２１Ｖ１，２１Ｖ２，２１Ｗ１，２１Ｗ２…コイル、３１…要素導体、４１…二股導体部材、４２…脚部、４３…第１渡り部、４４…第２渡り部。
【図１】
2015023670.tif 000003
【図２】
2015023670.tif 000004
【図３】
2015023670.tif 000005
【図４】
2015023670.tif 000006
【図５】
2015023670.tif 000007
【図６】
2015023670.tif 000008
【図７】
2015023670.tif 000009
【図８】
2015023670.tif 000010
【図９】
2015023670.tif 000011
【図１０】
2015023670.tif 000012
【図１１】
2015023670.tif 000013